(57)【要約】【課題】記録材料が折れたり、傷が付いたりすることがなく、バケット内に整列して集めることが可能である。【解決手段】画像が記録されたシート状の記録材料Ｐを装置本体２の出口１０から搬送力により押し出し、下方に配置されたバケット２０に落下させる画像記録装置において、装置本体２の出口１０とバケット２０との間に、記録材料Ｐの先端側を受けて一時停止させ記録材料Ｐの後端側からバケット２０へ落下させる受部材３０を配置している。【選択図】図３
2004075288.tif 000002
【特許請求の範囲】
【請求項１】
画像が記録されたシート状の記録材料を装置本体の出口から搬送力により押し出し、下方に配置されたバケットに落下させる画像記録装置において、
前記装置本体の出口と前記バケットとの間に、前記記録材料の先端側を受けて一時停止させ前記記録材料の後端側から前記バケットへ落下させる受部材を配置したことを特徴とする画像記録装置。
【請求項２】
前記受部材は、板状であり、この受部材の底部側を前記装置本体の側壁に接触させて斜め上方に傾斜させて配置したことを特徴とする請求項１に記載の画像記録装置。
【請求項３】
前記受部材の傾斜角度が、鉛直方向に対して３０°〜７５°であることを特徴とする請求項２に記載の画像記録装置。
【請求項４】
前記受部材の底部が、凹曲面部であることを特徴とする請求項２に記載の画像記録装置。
【請求項５】
前記受部材は、ガイド板と、このガイド板を覆う可撓性シートからなり、前記可撓性シートが前記曲面部を形成すると共に、前記ガイド板の上部より上方へ突出する延出部を形成することを特徴とする請求項１乃至請求項４のいずれか１項に記載の画像記録装置。
【請求項６】
前記ガイド板の長さは、最短の前記記録材料の長さの半分未満であることを特徴とする請求項５に記載の画像記録装置。
【請求項７】
前記受部材の底部と前記装置本体の出口との距離が、最短の前記記録材料より短いことを特徴とする請求項１乃至請求項６のいずれか１項に記載の画像記録装置。
【請求項８】
前記受部材は、前記バケットに備えることを特徴とする請求項１乃至請求項７のいずれか１項に記載の画像記録装置。
【請求項９】
前記受部材は、前記装置本体の側壁に備えることを特徴とする請求項１乃至請求項７のいずれか１項に記載の画像記録装置。
【請求項１０】
前記受部材と前記装置本体の出口との間に、落下する前記記録材料の落下方向を変化させる規制部材を配置したことを特徴とする請求項１乃至請求項９のいずれか１項に記載の画像記録装置。
【請求項１１】
前記バケットの前記受部材の上部開放端に対向する壁が、前記受部材の上部開放端より上方に位置することを特徴とする請求項１乃至請求項１０のいずれか１項に記載の画像記録装置。
【請求項１２】
前記バケットを前記装置本体の側壁に備えることを特徴とする請求項１乃至請求項１１のいずれか１項に記載の画像記録装置。
【請求項１３】
前記記録材料の厚さが、７０μｍ〜２００μｍであることを特徴とする請求項１乃至請求項１２のいずれか１項に記載の画像記録装置。
【請求項１４】
前記記録材料は、画像記録面を上側にして搬送落下することを特徴とする請求項１乃至請求項１３のいずれか１項に記載の画像記録装置。
【発明の詳細な説明】
【０００１】
【発明の属する技術分野】
この発明は、シート状の記録材料に画像を記録する画像記録装置に関する。
【０００２】
【従来の技術】
このような記録材料上に画像を記録する画像記録装置として、例えばロール状の記録材料を所定長引き出し、所定長さにカットして搬送手段により給紙して記録材料をドラムの周面に保持し、記録ヘッドをドラム軸方向に移動して記録材料上に画像を記録するものがある。
【０００３】
このようにして画像が記録されたシート状の記録材料は、装置本体の出口から搬送力により押し出され、下方に配置されたバケットに落下させて集めている。
【０００４】
【発明が解決しようとする課題】
このように画像が記録された記録材料が装置本体の出口から落下するときに、落下の高さがあると、記録材料が折れたり、傷が付いたり、バケット内に整列して集めることができないことがある。
【０００５】
この発明は、以上のような問題点に鑑みてなされたもので、記録材料が折れたり、傷が付いたりすることがなく、バケット内に整列して集めることが可能な画像記録装置を提供することを目的としている。
【０００６】
【課題を解決するための手段】
前記課題を解決し、かつ目的を達成するために、この発明は、以下のように構成した。
【０００７】
請求項１に記載の発明は、画像が記録されたシート状の記録材料を装置本体の出口から搬送力により押し出し、下方に配置されたバケットに落下させる画像記録装置において、
前記装置本体の出口と前記バケットとの間に、前記記録材料の先端側を受けて一時停止させ前記記録材料の後端側から前記バケットへ落下させる受部材を配置したことを特徴とする画像記録装置である。
【０００８】
この請求項１に記載の発明によれば、記録材料の先端側を受けて一時停止させ記録材料の後端側からバケットへ落下させることで、記録材料が装置本体の出口からの落下の高さが低くなり、記録材料が折れたり、傷が付いたりすることがなく、バケット内に整列して集めることが可能である。
【０００９】
請求項２に記載の発明は、前記受部材は、板状であり、この受部材の底部側を前記装置本体の側壁に接触させて斜め上方に傾斜させて配置したことを特徴とする請求項１に記載の画像記録装置である。
【００１０】
この請求項２に記載の発明によれば、受部材が底部側を装置本体の側壁に接触させて斜め上方に傾斜していることで、円滑に記録材料の先端側を受けて一時停止させ記録材料の後端側からバケットへ落下させることができる。
【００１１】
請求項３に記載の発明は、前記受部材の傾斜角度が、鉛直方向に対して３０°〜７５°であることを特徴とする請求項２に記載の画像記録装置である。
【００１２】
この請求項３に記載の発明によれば、受部材の傾斜角度が、鉛直方向に対して３０°〜７５°であることで、円滑に記録材料の先端側を受部材に呼び込み、後端側が落下するまで先端側が脱落することなく保持し続けることができる。
【００１３】
請求項４に記載の発明は、前記受部材の底部が、凹曲面部であることを特徴とする請求項２に記載の画像記録装置である。
【００１４】
この請求項４に記載の発明によれば、受部材の底部が、凹曲面部であることで、記録材料の先端側が挟まれることなく、円滑に後端側からバケットへ落下させることができる。
【００１５】
請求項５に記載の発明は、前記受部材は、ガイド板と、このガイド板を覆う可撓性シートからなり、前記可撓性シートが前記曲面部を形成すると共に、前記ガイド板の上部より上方へ突出する延出部を形成することを特徴とする請求項１乃至請求項４のいずれか１項に記載の画像記録装置である。
【００１６】
この請求項５に記載の発明によれば、可撓性シートには弾力性があり、記録材料を傷付けることなく円滑に後端側からバケットへ落下させることができる。
【００１７】
請求項６に記載の発明は、前記ガイド板の長さは、最短の前記記録材料の長さの半分未満であることを特徴とする請求項５に記載の画像記録装置である。
【００１８】
この請求項６に記載の発明によれば、ガイド板の長さが最短の記録材料の長さの半分未満であることで、最短長さの記録材料においても記録材料の中心位置がガイド板の外側にあるため記録材料の先端側が受部材に残留することなくバケットへ落下させることができる。
【００１９】
請求項７に記載の発明は、前記受部材の底部と前記装置本体の出口との距離が、最短の前記記録材料より短いことを特徴とする請求項１乃至請求項６のいずれか１項に記載の画像記録装置である。
【００２０】
この請求項７に記載の発明によれば、受部材の底部と装置本体の出口との距離が最短の記録材料より短いことで、記録材料の長さが異なる場合でも、全ての記録材料を円滑に後端側からバケットへ落下させることができる。
【００２１】
請求項８に記載の発明は、前記受部材は、前記バケットに備えることを特徴とする請求項１乃至請求項７のいずれか１項に記載の画像記録装置である。
【００２２】
この請求項８に記載の発明によれば、受部材をバケットに備えることで、装置本体側には特別な加工を施す必要がなく、装置本体の製作コストを抑えることができる。
【００２３】
請求項９に記載の発明は、前記受部材は、前記装置本体の側壁に備えることを特徴とする請求項１乃至請求項７のいずれか１項に記載の画像記録装置である。
【００２４】
この請求項９に記載の発明によれば、受部材を装置本体の側壁に備えることで、装置本体の位置調整を行なっても、出口と受部材との距離を常に一定にすることができる。
【００２５】
請求項１０に記載の発明は、前記受部材と前記装置本体の出口との間に、落下する前記記録材料の落下方向を変化させる規制部材を配置したことを特徴とする請求項１乃至請求項９のいずれか１項に記載の画像記録装置である。
【００２６】
この請求項１０に記載の発明によれば、装置本体の出口から落下する記録材料の落下方向を変化させることで、円滑に記録材料の先端側を受部材に受けさせ、後端側からバケットへ落下させることができる。
【００２７】
請求項１１に記載の発明は、前記バケットの前記受部材の上部開放端に対向する壁が、前記受部材の上部開放端より上方に位置することを特徴とする請求項１乃至請求項１０のいずれか１項に記載の画像記録装置である。
【００２８】
この請求項１１に記載の発明によれば、バケットの壁が受部材の上部開放端より上方に位置することで、落下する記録材料がバケットの壁に接触することがあっても滑り落ち、乗り上げたり、折れ曲がることをなくすことができる。
【００２９】
請求項１２に記載の発明は、前記バケットを前記装置本体の側壁に備えることを特徴とする請求項１乃至請求項１１のいずれか１項に記載の画像記録装置である。
【００３０】
この請求項１２に記載の発明によれば、バケットを装置本体の側壁に備えることで、装置本体の位置調整を行なっても、出口とバケットとの距離を常に一定にすることができる。
【００３１】
請求項１３に記載の発明は、前記記録材料の厚さが、７０μｍ〜２００μｍであることを特徴とする請求項１乃至請求項１２のいずれか１項に記載の画像記録装置である。
【００３２】
この請求項１３に記載の発明によれば、記録材料が装置本体の出口から搬送力により押し出されて落下し、記録材料が折れたり、傷が付いたりすることがなく、バケット内に整列して集めることができる。
【００３３】
請求項１４に記載の発明は、前記記録材料は、画像記録面を上側にして搬送落下することを特徴とする請求項１乃至請求項１３のいずれか１項に記載の画像記録装置である。
【００３４】
この請求項１４に記載の発明によれば、記録材料が画像記録面を上側にして搬送落下し、画像記録面側が受部材に接触しても、傷が付いたりすることがなく、バケット内に整列して集めることが可能である。
【００３５】
【発明の実施の形態】
以下、図面を参照して、この発明の画像記録装置の実施の形態について詳細に説明する。なお、この発明は、実施の形態に限定されるものではない。
【００３６】
図１乃至図５に画像記録装置としてカラープルーフ作成装置を示す。図１はカラープルーフ作成装置の正面図、図２はカラープルーフ作成装置の平面図、図３はカラープルーフ作成装置の排出部の拡大図、図４は受部材の取付状態の側面図、図５は記録材料の落下状態を示す図である。
【００３７】
カラープルーフ作成装置１の装置本体２には、露光ユニット３及び現像処理ユニット４が備えられている。露光ユニット３の上部には、感光材料である記録材料を収納したカートリッジ５がセット可能であり、また操作部６が設けられている。露光ユニット３では、画像信号を受けて記録材料にレーザービームで露光して画像の書き込みを行う。
【００３８】
現像処理ユニット４では、露光された記録材料を搬送して現像処理し、この処理された記録材料を乾燥して送出し、画像が記録されたシート状の記録材料Ｐが装置本体２の出口１０から搬送力により押し出され、下方に配置されたバケット２０に落下する。バケット２０は上部を開口した箱状であり、両側に把持孔２１が設けられ、装置本体２の側壁２ａに引っ掛具７０等によって着脱可能に備えられている。
【００３９】
装置本体２の出口１０とバケット２０との間に、記録材料Ｐの先端側を受けて一時停止させ記録材料Ｐの後端側からバケット２０へ落下させる受部材３０を配置している。受部材３０は、板状であり、この受部材３０の底部３０ａが凹曲面部であり、底部３０ａ側を装置本体２の側壁２ａにして斜め上方に傾斜させて配置される。この受部材３０は、ガイド板３１と、このガイド板３１を覆う可撓性シート３２からなる。ガイド板３１は、くの字状に屈曲させ、下部３１ａをバケット２０に固定され、上部３１ｂに可撓性シート３２を取り付けている。
【００４０】
可撓性シート３２は、例えば塩化ビニル等の樹脂で構成され、可撓性シート３２で曲面部３２ａを形成し、この曲面部３２ａを装置本体２の側壁２ａに接触させるとともに、ガイド板３１の上部３１ｂより上方へ突出する延出部３２ｂを形成し、可撓性シート３２は、両面テープ４１で装置本体２の側壁２ａに取り付けられる。
【００４１】
このように、受部材３０をバケット２０に備え、可撓性シート３２の曲面部３２ａは両面テープ４１で装置本体２の側壁２ａに取り付けることで、装置本体２側には特別な加工を施す必要がなく、装置本体２の製作コストを抑えることができる。
【００４２】
バケット２０には、受部材３０の上部開放端に対向する壁２２が、受部材３０の上部開放端より上方に位置し、この壁２２はバケット２０と同一の部材で形成され、低コストになっている。
【００４３】
次に、この実施の形態のカラープルーフ作成装置１で記録材料Ｐに画像が記録されると、図５に示すように、記録材料Ｐが画像記録面Ｐａを上側にし、装置本体２の出口１０から搬送力により押し出される（図５（ａ））。この記録材料Ｐの先端側を受部材３０で受け（図５（ｂ））、さらに記録材料Ｐが押し出されると、記録材料Ｐの先端部が受部材３０の底部３０ａに案内されて装置本体２の側壁２ａに当接し（図５（ｃ））、さらに記録材料Ｐが押し出されると、記録材料Ｐが受部材３０の上端部からバケット２０側に垂れ下がる（図５（ｄ））。
【００４４】
そして、さらに記録材料Ｐが押し出されると、記録材料Ｐが受部材３０の上端部からバケット２０側に大きく垂れ下がり（図５（ｅ））、最後に記録材料Ｐの後端側からバケット２０内へ落下する（図５（ｆ））。
【００４５】
このカラープルーフ作成装置１で用いられる記録材料Ｐは、その厚さが、７０μｍ〜２００μｍであり、記録材料Ｐが装置本体２の出口１０から搬送力により押し出されて落下し、バケット２０内に整列して集めることができる。
【００４６】
このように、記録材料Ｐの先端側を受部材３０で受けて一時停止させ記録材料Ｐの後端側からバケット２０へ落下させることで、記録材料Ｐが装置本体２の出口１０からの落下の高さが低くなり、記録材料Ｐが折れたり、傷が付いたりすることがなく、バケット２０内に整列して集めることが可能である。
【００４７】
この受部材３０は、板状であり、受部材３０が底部３０ａ側を装置本体２の側壁２ａに接触させて斜め上方に傾斜していることで、円滑に記録材料Ｐの先端側を受けて一時停止させ記録材料Ｐの後端側からバケット２０へ落下させることができる。
【００４８】
この受部材３０の傾斜角度θ１は、鉛直方向に対して３０°〜７５°であり、この傾斜角度θ１の範囲以下ではバケット２０へ落下する時に装置本体２の側壁２ａに引っかかり円滑に落下できないことがあり、傾斜角度θ１の範囲以上では記録材料Ｐの後端側からバケット２０へ落下しないで先端側から落下することがある。このように、受部材３０の傾斜角度θ１の設定によって、円滑に記録材料Ｐの先端側を受部材３０に呼び込み、後端側が落下するまで先端側が脱落することなく保持し続けることができる。
【００４９】
また、受部材３０の底部３０ａが、凹曲面部であることで、記録材料Ｐの先端側が挟まれることなく、円滑に後端側からバケット２０へ落下させることができる。
【００５０】
また、受部材３０がガイド板３１と、このガイド板３２を覆う可撓性シートからなり、可撓性シート３２が曲面部３２ａを形成すると共に、ガイド板３１の上部より上方へ突出する延出部３２ｂを形成し、可撓性シート３２には弾力性があり、あるいは変形することで、記録材料Ｐの先端側を傷付けることなく曲面部３２ａによって装置本体２の側壁２ａに当接するように案内するとともに、記録材料Ｐが延出部３２ｂからバケット２０側に垂れ下がり落下し、記録材料Ｐの画像記録面Ｐａが延出部３２ｂによって傷付けられることがなく、円滑に落下することができる。
【００５１】
また、ガイド板３１の長さＬ１は、最短の記録材料Ｐの長さの半分未満であり、長いと記録材料Ｐがバケット２０内に落下できないが、短くすることで記録材料Ｐを円滑に後端側からバケット２０へ落下させることができ、最短長さの記録材料Ｐにおいても記録材料Ｐの中心位置がガイド板３１の外側にあるため記録材料Ｐの先端側が受部材３０に残留することなくバケット２０へ落下させることができる。
【００５２】
また、受部材３０の底部３０ａと装置本体２の出口１０との距離Ｌ２が、最短の記録材料Ｐより短く設定されており、このカラープルーフ作成装置１で作成される記録材料Ｐの長さが異なる場合でも、全ての記録材料Ｐを円滑に後端側からバケット２０へ落下させることができる。
【００５３】
また、バケット２０の受部材３０の上部開放端に対向する壁２２が、受部材３０の上部開放端より上方に位置することで、落下する記録材料Ｐがバケット２０の壁に接触することがあっても滑り落ち、乗り上げたり、折れ曲がることをなくすことができる。また、バケット２０の壁２２を高くすることで、バケット２０の幅Ｄ１を短くすることができ、その分コンパクトになる。
【００５４】
バケット２０の壁２２の高さＨ１は、受部材３０の上部開放端より高く、装置本体２の出口１０よりも低い位置である。また、バケット２０の壁２２は、鉛直方向に限定されず、図３に二点鎖線で示すように、下方を装置本体２の側壁２ａに近付け、上方を離すように斜めに傾斜して設けてもよく、さらに凸状あるいは凹状の曲面にして設けてもよい。
【００５５】
図６はカラープルーフ作成装置の他の実施の形態の排出部の拡大図である。この実施の形態では、受部材３０と装置本体２の出口１０との間に、落下する記録材料Ｐの落下方向を変化させる規制部材５０を配置している。この規制部材５０は、板状で斜め下方に傾斜させて装置本体２の側壁２ａに取り付けられている。
【００５６】
記録材料Ｐが画像記録面Ｐａを上側にし、装置本体２の出口１０から搬送力により押し出されると、記録材料Ｐの先端側が垂れ下がり、規制部材５０に当たると規制部材５０によって装置本体２の側壁２ａから離れる方向へ変化する。このように、装置本体２の出口１０から落下する記録材料Ｐの落下方向を変化させることで、円滑に記録材料Ｐの先端側を受部材３０に受けさせ、後端側からバケット２０内へ落下させることができる。
【００５７】
図４は受部材の他の実施の形態の取付状態の側面図である。この実施の形態では、受部材３０のガイド板３１をネジや引っ掛け部材等の止め部材６０によって装置本体２の側壁２ａに取り付け、可撓性シート３２は、両面テープ４１で装置本体２の側壁２ａに取り付けられる。
【００５８】
このように、受部材３０を装置本体２の側壁２ａに備えることで、装置本体２のアジャスタ６１によって、装置本体２の位置調整を行なっても、出口１０と受部材３０との距離を常に一定にすることができる。
【００５９】
【発明の効果】
前記したように、請求項１に記載の発明では、記録材料の先端側を受けて一時停止させ記録材料の後端側からバケットへ落下させることで、記録材料が装置本体の出口からの落下の高さが低くなり、記録材料が折れたり、傷が付いたりすることがなく、バケット内に整列して集めることが可能である。
【００６０】
請求項２に記載の発明では、受部材が底部側を装置本体の側壁に接触させて斜め上方に傾斜していることで、円滑に記録材料の先端側を受けて一時停止させ記録材料の後端側からバケットへ落下させることができる。
【００６１】
請求項３に記載の発明では、受部材の傾斜角度が、鉛直方向に対して３０°〜７５°であることで、円滑に記録材料の先端側を受部材に呼び込み、後端側が落下するまで先端側が脱落することなく保持し続けることができる。
【００６２】
請求項４に記載の発明では、受部材の底部が、凹曲面部であることで、記録材料の先端側が挟まれることなく、円滑に後端側からバケットへ落下させることができる。
【００６３】
請求項５に記載の発明では、可撓性シートには弾力性があり、記録材料を傷付けることなく円滑に後端側からバケットへ落下させることができる。
【００６４】
請求項６に記載の発明では、ガイド板の長さが最短の記録材料の長さの半分未満であることで、最短長さの記録材料においても記録材料の中心位置がガイド板の外側にあるため記録材料の先端側が受部材に残留することなくバケットへ落下させることができる。
【００６５】
請求項７に記載の発明では、受部材の底部と装置本体の出口との距離が最短の記録材料より短いことで、記録材料の長さが異なる場合でも、全ての記録材料を円滑に後端側からバケットへ落下させることができる。
【００６６】
請求項８に記載の発明では、受部材をバケットに備えることで、装置本体側には特別な加工を施す必要がなく、装置本体の製作コストを抑えることができる。
【００６７】
請求項９に記載の発明では、受部材を装置本体の側壁に備えることで、装置本体の位置調整を行なっても、出口と受部材との距離を常に一定にすることができる。
【００６８】
請求項１０に記載の発明では、装置本体の出口から落下する記録材料の落下方向を変化させることで、円滑に記録材料の先端側を受部材に受けさせ、後端側からバケットへ落下させることができる。
【００６９】
請求項１１に記載の発明では、バケットの壁が受部材の上部開放端より上方に位置することで、落下する記録材料がバケットの壁に接触することがあっても滑り落ち、乗り上げたり、折れ曲がることをなくすことができる。
【００７０】
請求項１２に記載の発明では、バケットを装置本体の側壁に備えることで、装置本体の位置調整を行なっても、出口とバケットとの距離を常に一定にすることができる。
【００７１】
請求項１３に記載の発明では、記録材料が装置本体の出口から搬送力により押し出されて落下し、記録材料が折れたり、傷が付いたりすることがなく、バケット内に整列して集めることができる。
【００７２】
請求項１４に記載の発明では、記録材料が画像記録面を上側にして搬送落下し、画像記録面側が受部材に接触しても、傷が付いたりすることがなく、バケット内に整列して集めることが可能である。
【図面の簡単な説明】
【図１】カラープルーフ作成装置の正面図である。
【図２】カラープルーフ作成装置の平面図である。
【図３】カラープルーフ作成装置の排出部の拡大図である。
【図４】受部材の取付状態の側面図である。
【図５】記録材料の落下状態を示す図である。
【図６】カラープルーフ作成装置の他の実施の形態の排出部の拡大図である。
【図７】受部材の他の実施の形態の取付状態の側面図である。。
【符号の説明】
１　カラープルーフ作成装置
２　装置本体
３　露光ユニット
４　現像処理ユニット
５　カートリッジ
６　操作部
１０　出口
２０　バケット
３０　受部材
３１　ガイド板
３２　可撓性シート
【図１】
2004075288.tif 000003
【図２】
2004075288.tif 000004
【図３】
2004075288.tif 000005
【図４】
2004075288.tif 000006
【図５】
2004075288.tif 000007
【図６】
2004075288.tif 000008
【図７】
2004075288.tif 000009